(57)【特許請求の範囲】
【請求項１】
アプリケーションデータをディスプレイするための第１映像データ信号と、状態表示データ及び画像制御信号を含む第２映像データ信号とを受信し、前記アプリケーションデータ及び状態表示データをディスプレイするためのディスプレイパネルと、
前記状態表示データ及び前記画像制御信号を保存し、前記状態表示データ及び前記画像制御信号を前記ディスプレイパネルに出力するための第１メモリと、
前記画像制御信号に応答して前記ディスプレイパネルに前記アプリケーションデータ又は前記状態表示データのうち何れか一つがディスプレイされるように前記ディスプレイパネルを駆動するディスプレイドライバと
を含むことを特徴とするディスプレイ装置。
【請求項２】
前記ディスプレイ装置は、前記第１メモリに保存された状態表示データ及び前記画像制御信号を受信して、該画像制御信号をデコードし、該状態表示データを前記ディスプレイパネルの所定領域に対応付けるためのローアドレスデコーダをさらに含むことを特徴とする請求項１に記載のディスプレイ装置。
【請求項３】
前記第１メモリは、新しい第２映像データ信号が入力される場合には前記新しい第２映像データにリフレッシュされ、
前記新しい第２映像データ信号が入力されない場合、前記第１メモリは、リフレッシュされず、前記第１メモリに保存されていた第２映像データを前記ディスプレイパネルに出力することを特徴とする請求項１に記載のディスプレイ装置。
【請求項４】
前記アプリケーションデータをディスプレイしない場合、前記第１メモリに保存された状態表示データをディスプレイすることを特徴とする請求項１に記載のディスプレイ装置。
【請求項５】
前記状態表示データの出力は、前記ディスプレイパネルのうち一部領域にだけ出力されることを特徴とする請求項４に記載のディスプレイ装置。
【請求項６】
状態表示データと前記アプリケーションデータとを同時に第１ディスプレイ領域に出力する場合、前記状態表示データが前記アプリケーションデータ画面で遮られる場合、前記状態表示データが前記アプリケーションデータ画面上に半透明にディスプレイされる場合、又は前記アプリケーションデータが前記状態表示データ画面で遮られる場合を選択して制御するオンスクリーンディスプレイ(ＯＳＤ)制御部をさらに含むことを特徴とする請求項１に記載のディスプレイ装置。
【請求項７】
前記ディスプレイパネルは、移動通信端末機用の表示装置であることを特徴とする請求項１に記載のディスプレイ装置。
【請求項８】
前記ディスプレイパネルは、移動通信端末機のデュアルウィンドウの第１ディスプレイパネル及び第２ディスプレイパネルであることを特徴とする請求項１に記載のディスプレイ装置。
【請求項９】
前記移動通信端末機が待機モードである場合、前記第１メモリが前記第２ディスプレイパネルにディスプレイされるデータの保存のためのメモリとして動作することを特徴とする請求項８に記載のディスプレイ装置。
【請求項１０】
メイン画面ディスプレイを具現する第１表示装置と、
サブ画面ディスプレイを具現する第２表示装置と、
外部ディスプレイ制御器から出力される状態表示データ及び画像制御信号を保存し、前記状態表示データ及び画像制御信号を前記第１及び第２表示装置に出力するためのサブメモリと、
前記第１及び第２表示装置にアプリケーションデータ又は状態表示データのうち何れか一つがディスプレイされるように前記第１及び第２表示装置を駆動するディスプレイドライバと
を含み、
前記第１及び第２表示装置は、前記外部ディスプレイ制御器からアプリケーションデータをディスプレイするための主映像データ信号を受信し、前記サブメモリから状態表示データをディスプレイするための状態表示データ及び前記第１及び第２表示装置のディスプレイを制御するための画像制御信号を受信し、前記画像制御信号に応答して前記アプリケーションデータまたは前記状態表示データをディスプレイすることを特徴とするディスプレイ装置。
【請求項１１】
前記ディスプレイ装置は、前記サブメモリに保存された状態表示データ及び画像制御信号を受信して、該画像制御信号をデコードし、該状態表示データを前記第１表示装置又は前記第２表示装置のうち何れか一つの領域に対応付けるためのローアドレスデコーダをさらに含むことを特徴とする請求項１０に記載のディスプレイ装置。
【請求項１２】
前記サブメモリは、変更された状態表示データ又はアプリケーションデータ信号のうち何れか一つをディスプレイさせる画像制御信号が入力されない限り、前記状態表示データがディスプレイされる前記第１表示装置及び前記第２表示装置のうち何れか一つをリフレッシュしないことを特徴とする請求項１０に記載のディスプレイ装置。
【請求項１３】
前記サブメモリは、変更された状態表示データ信号をディスプレイさせる画像制御信号が入力されない限り、前記状態表示データ又はアプリケーションデータがディスプレイされる前記第１表示装置または前記第２表示装置のうち前記状態表示データがディスプレイされる一部表示領域をリフレッシュしないことを特徴とする請求項１０に記載のディスプレイ装置。
【請求項１４】
前記サブメモリは、状態表示データ信号をディスプレイさせる画像制御信号が入力されない限り、前記アプリケーションデータがディスプレイされる前記第１表示装置または前記第２表示装置に信号を出力しないことを特徴とする請求項１０に記載のディスプレイ装置。
【請求項１５】
前記状態表示データのディスプレイは、前記第１表示装置の第１領域または前記第２表示装置の第１領域にだけ出力されることを特徴とする請求項１０に記載のディスプレイ装置。
【請求項１６】
前記サブメモリに保存された状態表示データと、前記アプリケーションデータとを同時に第１ディスプレイ領域に出力する場合、前記状態表示データが前記アプリケーションデータ画面で遮られる場合、前記状態表示データが前記アプリケーションデータ画面上に半透明にディスプレイされる場合、又は前記アプリケーションデータが前記状態表示データ画面で遮られる場合を選択して制御するＯＳＤ制御部をさらに含むことを特徴とする請求項１０に記載のディスプレイ装置。
【請求項１７】
前記状態表示データ及び前記アプリケーションデータをディスプレイするための制御は、ディスプレイ制御器を用いてなされることを特徴とする請求項１０に記載のディスプレイ装置。
【請求項１８】
前記ディスプレイ装置が待機モードである場合、前記サブメモリが前記第２表示装置にディスプレイされるデータの保存のためのメモリとして動作することを特徴とする請求項１０に記載のディスプレイ装置。
【発明の詳細な説明】
【技術分野】
【０００１】
本発明は、ディスプレイ装置に係り、特に動映像と静止映像をディスプレイできる携帯用移動通信端末機のディスプレイ装置に関する。
【背景技術】
【０００２】
移動通信加入者の増加と端末機技術の発展によって、移動通信端末機は単純な通話機能以外にカメラ機能、動映像ディスプレイ機能、ゲーム機能などの多様なマルチメディア機能を搭載するようになった。
また、マルチメディア機能が搭載されることによって移動通信端末機のディスプレイ装置は、発光ダイオード(Ｌｉｇｈｔ Ｅｍｉｔｔｉｎｇ Ｄｉｏｄｅ：ＬＥＤ)装置から液晶ディスプレイ(Ｌｉｑｕｉｄ Ｃｒｙｓｔａｌ Ｄｉｓｐｌａｙ：ＬＣＤ)装置に発展し、白黒ＬＣＤからカラーＬＣＤに移行してきた。また、ＬＣＤ窓のサイズが大きくなることによって電力消耗とＬＣＤ窓の保護のために普段にはメインＬＣＤ窓を閉じ、サブＬＣＤ窓のみを作動させるデュアルウィンドウ形態の端末機が登場した。
【０００３】
マルチメディア機能を有する移動通信端末機のうちユーザーに人気のある機能はデジタルカメラ機能である。デジタルカメラを含む移動通信端末機(例えば、カメラ付き携帯電話）は、その間ＣＣＤ(ｃｈａｒｇｅ  ｃｏｕｐｌｅｄ  ｄｅｖｉｃｅ）の需給不安と高い価格及び高い消費電力などの要因により開発が多少遅延された。ところが、最近メガピクセル(ＳＸＧＡ：１２８０×１０２４)Ｃｏｍｐｌｅｍｅｎｔａｒｙ  ｍｅｔａｌ  ｏｘｉｄｅ  ｓｅｍｉｃｏｎｄｕｃｔｏｒ(ＣＭＯＳ)イメージセンサーの開発が本格化されてメガピクセル級のカメラ付き携帯電話の普及が現実化されている。
【０００４】
カメラ付き携帯電話の解像度は、従来Ｃｏｍｍｏｎ  ｉｎｔｅｒｍｅｄｉａｔｅ  ｆｏｒｍａｔ(ＣＩＦ)(２８８×３５２)級ないしＶｉｄｅｏ  ｇｒａｐｈｉｃ  ａｒｒａｙ(ＶＧＡ)(４８０×６４０)級の３０万画素以内の低解像度を支援したが、次第にメガピクセル級のカメラ付き携帯電話が全世界的に開発普及し始めている。
【０００５】
メガピクセル級のメラ付き携帯電話の登場は、単純にデジタルカメラと移動電話機の結合でない新しいパラダイムの変化をもたらしている。すなわち、メガピクセル級のカメラ付き携帯電話の出現と共にアプリケーションプロセッサの本格的な採用、Ｑｕａｔｅｒ  ｖｉｄｅｏ  ｇｒａｐｈｉｃｓ  ａｒｒａｙ(ＱＶＧＡ)級以上の高画質ディスプレイ装置の出現、携帯電話内のメモリ容量増加及び高速通信サービスの加速化などの波及効果が同時に生じている。同様の場合で、過去ポリサウンドフォン(ｐｏｌｙ  ｓｏｕｎｄ  ｐｈｏｎｅ）が普及された時にベル音サービス、通話連結音サービスなどが新しく供給された。
かかるアプリケーションプロセッサとＱＶＧＡ級以上のディスプレイ装置が普及されながら移動通信装置の消費電力の節約と多様な機能が具現できるディスプレイドライバに対する技術も共に開発されている。
【０００６】
２．５世代通信サービスのＣｏｄｅ  ｄｉｖｉｓｉｏｎ  ｍｕｌｔｉｐｌｅ  ａｃｃｅｓｓ２０００(ＣＤＭＡ２０００)が携帯電話に使われた以後、デジタルカメラ、カムコーダ、ＬＣＤ、カード、メモリ、Ｇｌｏｂａｌ  ｐｏｓｉｔｉｏｎｉｎｇ  ｓｙｓｔｅｍ(ＧＰＳ）／Ｂｌｕｅｔｏｏｔｈ、グラフィック／アニメーション、オーディオ／サウンドなどの多様なアプリケーションが登場した。これにより、既存のベースバンドＬＳＩに過負荷がかかるようになり、これによってアプリケーションを専担するアプリケーションプロセッサが登場した。
【０００７】
移動通信端末機のアプリケーションプロセッサは、ベースバンドＬＳＩとは別途に外部に実装されて構成されるが、ベースバンドＬＳＩ内部に吸収されて構成されても良い。
アプリケーションプロセッサがベースバンドＬＳＩの外部に実装される２チップソリューションは、既存の安価のベースバンドＬＳＩを用いて必要な機能を有するアプリケーションプロセッサが装着できるので、多様な機能の拡張、縮少、転用などが容易で経済的である。しかし、２チップソリューションは２つのチップを利用しなければならないため、２つのチップによる基板上の面積増加は不回避である。
【０００８】
アプリケーションプロセッサがベースバンドＬＳＩ内部に構成される１チップソリューションは、ベースバンドＬＳＩとアプリケーションプロセッサとの完壁な互換性及び個別環境を提供できる長所がある。しかし、必要以上の機能を有する高価のＩｎｔｅｇｒａｔｅｄ  Ｃｉｒｃｕｉｔ(ＩＣ)を使用するという負担があり、マルチメディア機能の拡張が容易でないという短所がある。
【発明の開示】
【発明が解決しようとする課題】
【０００９】
本発明が解決しようとする技術的課題は、移動通信端末機の待機モード時にディスプレイ装置に消費される電力を極小化させうるディスプレイドライバを提供することである。
本発明が解決しようとする他の技術的課題は、移動通信端末機のアプリケーションプロセッサまたはベースバンドＬＳＩのロードを最小化できる移動通信端末機を提供することである。
【００１０】
本発明が解決しようとする他の技術的課題は、デュアルウィンドウ形態の移動通信端末機においてメインまたはサブ用ディスプレイ装置が赤、緑、青(ＲＧＢ)インターフェースを通じて動作する場合、多様なアプリケーションデータのみならず移動通信端末機の状態表示を表すデータを最小の消費電力で同時に表示してユーザーの便宜性を増大させうる移動通信端末機を提供することである。
【課題を解決するための手段】
【００１１】
本発明の目的を達成するために、本発明の特徴によるディスプレイ装置は、多様なアプリケーションデータをディスプレイするための主映像データ信号と、状態表示データ及び画像制御信号を含む副映像データ信号とを入力されてアプリケーションデータ及び状態表示データをディスプレイするためのディスプレイ手段、状態表示データ及び画像制御信号を保存し、状態表示データ及び画像制御信号をディスプレイ手段に出力するためのサブメモリ、及びディスプレイ手段にイメージまたはデータのディスプレイを駆動するディスプレイドライバを含む。
【００１２】
本発明に係るディスプレイ装置は、サブメモリに保存された状態表示データをディスプレイ手段の所定領域に対応付けるためのローアドレス制御器をさらに含みうる。
前記ディスプレイ装置のサブメモリは、新しい副映像データ信号が入力される場合には前記新しい副映像データにリフレッシュされ、新しい副映像データ信号が入力されない場合、サブメモリはリフレッシュされずサブメモリに保存されていた副映像データをディスプレイ手段に出力する。
【００１３】
望ましくは、前記ディスプレイ装置は、アプリケーションデータをディスプレイしない場合、副映像データ信号と画像制御信号だけを入力されてサブメモリに保存し、保存された状態表示データだけを出力しうる。
望ましくは、前記ディスプレイ装置における状態表示データの出力は、ディスプレイ手段のうち一部所定領域にだけ出力されうる。
【００１４】
望ましくは、前記ディスプレイ装置は、サブメモリに保存された状態表示データとアプリケーションデータとを同時に同一ディスプレイ領域に出力する場合、同一ディスプレイ領域にアプリケーションデータと状態表示データとをオーバーラップしてディスプレイし、ディスプレイ装置は、オーバーラップディスプレイの時、状態表示データがアプリケーションデータ画面で遮られる場合、状態表示データがアプリケーションデータ画面上に半透明にディスプレイされる場合、及びアプリケーションデータが状態表示データ画面で遮られる場合を選択して制御するオンスクリーンディスプレイ(ＯＳＤ)制御部をさらに含みうる。
【００１５】
本発明に係るディスプレイ手段は、移動通信端末機用の表示装置として使われうる。
また、本発明に係るディスプレイ手段は、移動通信端末機のデュアルウィンドウのメインディスプレイ手段とサブディスプレイ手段でありうる。
さらに望ましくは、本発明に係るディスプレイ装置は、前記移動通信端末機が待機モードである場合、サブメモリがサブディスプレイ手段にディスプレイされるデータの保存のためのメモリとして動作する。
【００１６】
本発明の他の特徴によれば、ディスプレイ装置が、メイン画面ディスプレイを具現する第１表示装置と、サブ画面ディスプレイを具現する第２表示装置と、外部ディスプレイ制御器から出力される状態表示データ及び画像制御信号を保存し、前記状態表示データ及び画像制御信号を前記第１及び第２表示装置に出力するためのサブメモリと、前記第１及び第２表示装置にイメージ及びデータのうち何れか一つのディスプレイを駆動するディスプレイドライバとを含み、前記第１及び第２表示装置は、前記外部ディスプレイ制御器からアプリケーションデータをディスプレイするための主映像データ信号を受信し、前記サブメモリから状態表示データをディスプレイするための状態表示データ、及び前記第１及び第２表示装置のディスプレイを制御するための画像制御信号を受信し、前記画像制御信号に応答して前記アプリケーションデータまたは前記状態表示データを選択的にディスプレイする。
【００１７】
望ましくは、前記ディスプレイ装置は、前記サブメモリに保存された状態表示データを受信して、該状態表示データを前記第１表示装置及び前記第２表示装置のうち何れか一つの領域に対応付けるためのローアドレスデコーダをさらに含む。前記サブメモリは、変更された状態表示データ及びアプリケーションデータ信号のうち何れか一つをディスプレイさせる画像制御信号が入力されない限り、前記状態表示データがディスプレイされる前記第１表示装置及び前記第２表示装置のうち何れか一つをリフレッシュしない。
【００１８】
前記サブメモリは、変更された状態表示データ信号をディスプレイさせる画像制御信号が入力されない限り、前記状態表示データ及びアプリケーションデータがディスプレイされる前記第１表示装置または前記第２表示装置のうち前記状態表示データがディスプレイされる一部表示領域をリフレッシュしない。前記サブメモリは、状態表示データ信号をディスプレイさせる画像制御信号が入力されない限り、前記アプリケーションデータがディスプレイされる前記第１表示装置または前記第２表示装置に信号を出力しない。
【００１９】
前記状態表示データのディスプレイは、前記第１表示装置の第１領域または前記第２表示装置の第１領域にだけ出力される。前記サブメモリに保存された状態表示データと前記アプリケーションデータとを同時に第１ディスプレイ領域に出力する場合、前記第１ディスプレイ領域に前記アプリケーションデータと前記状態表示データとをオーバーラップしてディスプレイする。
【００２０】
前記ディスプレイ装置は、前記オーバーラップディスプレイの時、前記状態表示データが前記アプリケーションデータ画面で遮られる場合、前記状態表示データが前記アプリケーションデータ画面上に半透明にディスプレイされる場合、及び前記アプリケーションデータが前記状態表示データ画面で遮られる場合を選択して制御するＯＳＤ制御部をさらに含む。前記状態表示データ及び前記アプリケーションデータのディスプレイ制御は、ディスプレイ制御器を用いてなされる。前記ディスプレイ装置が待機モードである場合、前記サブメモリが前記第２表示装置にディスプレイされるデータの保存のためのメモリとして動作する。
【発明の効果】
【００２１】
本発明に係る半導体メモリ装置によれば、ディスプレイ装置にサブＬＣＤ用のメモリだけを内蔵することによって、待機モード時にアプリケーションプロセッサの動作なしにサブＬＣＤパネルを駆動させることができて端末機の低電力化を極大化させうる。
また、メインまたはサブＬＣＤパネルがＲＧＢインターフェースを通じて動作する場合、サブメモリのデータをＯＳＤ用として使用できてユーザーの利用便宜性を拡張させうる。
【発明を実施するための最良の形態】
【００２２】
本発明とその動作上の利点及び本発明の実施によって達成される目的を十分に理解するためには、本発明の望ましい実施形態を例示する添付図面及び添付図面に記載された内容を参照せねばならない。
以下、添付された図面に基づき、本発明の望ましい実施形態を説明することによって本発明を詳細に説明する。各図面に示された同じ参照符号は同じ部材を示す。
【００２３】
図１は、多様な機能を有する従来の移動通信端末機のブロック図である。
図１を参照すれば、移動通信端末機１００は、アプリケーションプロセッサ１０２、ベースバンドＬＳＩ１０４、サウンド、ブルートゥース(Ｂｌｕｅｔｏｏｔｈ)、メモリ、カードなどのマルチメディア装置１０６、デジタルカメラ１０８、メインディスプレイ用ＬＣＤドライバ１１０、サブディスプレイ用ＬＣＤドライバ１１２、メインＬＣＤディスプレイパネル１１４、及びサブＬＣＤディスプレイパネル１１６などを含む。
【００２４】
メインディスプレイパネル１１４の場合、ＴＦＴ(Ｔｈｉｎ  Ｆｉｌｍ  Ｔｒａｎｓｉｓｔｏｒ)、ＴＦＤ(Ｔｈｉｎ  Ｆｉｌｍ  Ｄｉｏｄｅ)が主に使われ、アプリケーションプロセッサ１０２内に内蔵されたフレームバッファメモリを通じて用いて動映像、カメラ画像、ゲームなどの多様なアプリケーションデータをメインディスプレイ１１４のＬＣＤドライバ１１０に伝送する。このようなデータの伝送は、アプリケーションプロセッサ１０２のＬＣＤ制御器から赤(Ｒ)、緑(Ｇ)、青(Ｂ)のｎビットＲＧＢデータとして伝送される。したがって、メモリ装置が不要なので、メモリのないドライバを使用している。
【００２５】
サブディスプレイパネル１１６の場合、それより解像度の低く、低電力に適したＳＴＮＬＣＤ(Ｓｕｐｅｒ  Ｔｗｉｓｔｅｄ  Ｎｅｍａｔｉｃ  ＬＣＤ)、半透過ＴＦＴ、ＯＬＥＤ(Ｏｒｇａｎｉｃ  Ｌｉｇｈｔ−Ｅｍｉｔｔｉｎｇ  Ｄｉｏｄｅ)などが使われる。サブディスプレイパネル１１６に表示されるデータは主に時間、日付、バッテリー残量、アンテナ表示などの移動通信端末機１００の状態を表すデータである。
【００２６】
図２Ａないし図２Ｃは、従来の移動通信端末機のＬＣＤ装置のブロック図である。
特に、図２Ａは、移動通信端末機のうちディスプレイ装置が一つであるバータイプの端末機のＬＣＤ装置を示すブロック図である。
【００２７】
図２Ａを参照すれば、移動通信端末機はアプリケーションプロセス内に内蔵されているＬＣＤ制御器２０１とディスプレイ手段であるＬＣＤドライバ２０３、２０５、及びＬＣＤパネル２０７を含む。ＬＣＤドライバ(図示せず）は、信号電極を制御するソースドライバ２０３及び走査電極を制御するゲートドライバ２０５を備える。ＬＣＤパネル２０７は、イメージやデータを表示できるディスプレイ表示手段であって位置に対する情報だけを有する仮想メモリの概念である。
【００２８】
ＬＣＤ制御器２０１では、ＬＣＤドライバ２０３、２０５に動映像または静止映像を表すＲＧＢデータと移動通信端末機の状態を表すデータと指示制御信号を表すＳＰＩ(ｓｅｒｉａｌ  ｐｅｒｉｐｈｅｒａｌ  ｉｎｔｅｒｆａｃｅ)信号を伝送する。伝送されたデータは、ＬＣＤ２０７という仮想メモリに伝送されてディスプレイされる。
【００２９】
図２Ｂは、移動通信端末機のうちディスプレイ装置が二つであるフォルダタイプの端末機のＬＣＤドライバのうちディスプレイ装置によってＬＣＤドライバが異なって形成されるＬＣＤ装置を示すブロック図である。図２Ｂを参照すれば、移動通信端末機は、ＬＣＤ制御器２０１とメインＬＣＤドライバ２１１及びサブＬＣＤドライバ２１５とを備える。そして、それぞれのドライバ２１１及び２１５は対応するＬＣＤパネル２１３、２１７を備える。
【００３０】
ＬＣＤ制御器２０１では、メインＬＣＤドライバ２１１及び／またはサブＬＣＤドライバ２１５に動映像または静止映像を表すＲＧＢデータと移動通信端末機の状態を表すデータと指示制御信号を表すＳＰＩ信号を伝送する。メインＬＣＤドライバ２１１及びサブＬＣＤドライバ２１５にはＬＣＤ制御器２０１から印加される文字や数字及び図形の具現のための制御信号を保存するフレームメモリ(図示せず)が備えうる。
【００３１】
図２Ｃは、さらに軽く薄いＬＣＤドライバ装置であって、メインＬＣＤ２２３とサブＬＣＤ２２５との二つのＬＣＤ窓を有するデュアルウィンドウ形態の移動通信端末機において一つのＬＣＤドライバ２２１を通じて二つのディスプレイウィンドウを駆動するＬＣＤ装置を示すブロック図である。
【００３２】
図２Ｃを参照すれば、デュアルウィンドウ形態の移動通信端末機は、ＬＣＤ制御器２０１、一つのＬＣＤドライバ２２１、及びメインＬＣＤパネル２２３とサブＬＣＤパネル２２５を含む。メインＬＣＤ２２３は、ｎ個の信号電極と１からｋ−１個の走査電極を備え、サブＬＣＤ２２５は、ｎ個の信号電極とｋからｍ個の走査電極を備える。
すなわち、一つのＬＣＤドライバ２１１でｎ個の信号電極と１からｍ個の走査電極を駆動して同時に２個のＬＣＤ窓を制御する。
【００３３】
図３は、本発明の一実施形態による移動通信用端末機のＬＣＤ装置を示すブロック図である。
図３を参照すれば、本発明の一実施形態による移動通信用端末機は、ＬＣＤ制御器３０１、ＬＣＤ制御器３０１からＲＧＢデータを入力されるＬＣＤドライバ３０３、ＬＣＤ制御器３０１から制御信号及び端末機の状態、すなわち、アンテナ表示、バッテリー残量、時間などのデータを表示するサブメモリ３０５を備え、ＬＣＤドライバ３０３からデータを入力されてディスプレイさせるメインＬＣＤパネル３０７とサブＬＣＤパネル３０９とを備える。
【００３４】
本発明に係る端末機のサブメモリ３０５は、時間、バッテリー残量などの静的なデータを保存して出力するためのメモリである。すなわち、サブメモリ３０５は、アプリケーションプロセスが待機モードである場合またはアプリケーションプロセスを通じて動映像、スチール写真、ゲーム、通話イメージなどのイメージが出力されると同時に端末機の状態表示データを同時に出力する場合に静的なデータを一時保存してソースドライバのラッチ(図示せず)に出力する機能をする。
【００３５】
すなわち、ＬＣＤドライバ３０３にはＲＧＢインターフェースを通じて多様なアプリケーションの主映像データが直接入力され、指示またはレジスタセッティング制御信号の場合にＳＰＩを通じて入力される。ＬＣＤドライバ３０３に入力されたデータは信号電極を駆動させるソースドライバ及び走査電極を駆動させるゲートドライバを通じてＬＣＤパネルを駆動させる。
【００３６】
サブメモリ３０５は、移動通信端末機が待機モードである場合、アプリケーションプロセスを動作させずに新しい制御信号やデータが入力されるまで、メモリに保存されていたデータをＬＣＤドライバ３０３に出力させてディスプレイさせる。したがって、継続的にＬＣＤパネルをリフレッシュするか、ディスプレイイメージをＬＣＤ制御器３０１から出力させる必要がないので、低電力消費を実現させることができる。
【００３７】
したがって、端末機が待機モードである場合にも、サブＬＣＤパネル３０９は常に点いているので、低い電流消費が要求されるが、時間などの静止画像の場合、サブメモリ３０５内のデータを最初１回ＬＣＤパネルに記録した後にさらにリフレッシュしない限り、メモリの判読動作だけすれば良い。したがって、アプリケーションを利用しない待機モード時にアプリケーションプロセッサがサブＬＣＤパネル３０９に対するプロセシング及びＬＣＤドライバ３０３への高速データを伝達する必要がないので、不要な電流消耗が抑制できる。
【００３８】
図４は、本発明の他の実施形態による移動通信用端末機のＬＣＤ装置を示すブロック図である。
図４を参照すれば、本発明に係るＬＣＤ装置は、ＬＣＤ制御器４０１、ディスプレイ装置を駆動させるＬＣＤドライバ４０３、ＳＰＩ信号を保存するためのサブメモリ４０５、サブメモリ４０５から出力されたデータをＬＣＤパネルの所定位置に対応付けるためのローアドレスデコーダ４０７、ＲＧＢデータ上にＳＰＩデータをオーバーラップさせるためのＯＳＤ制御器４０９、及びメインＬＣＤパネル４１１とサブＬＣＤパネル４１２を含む。
【００３９】
ローアドレスデコーダ４０７は、ＳＰＩデータ、すなわち、時間とアンテナなどのデータをフォルダが閉じられている場合、フォルダが開かれている場合、またはアプリケーションデータと同時に出力される場合、ＳＰＩデータだけ出力される場合によってＬＣＤパネル４１１、４１３上に所定部分に適切に位置させる役割をする。
【００４０】
例えば、ローアドレスデコーダ４０７は、デュアルウィンドウ端末機の場合、フォルダが閉じられている時はメインＬＣＤパネル４１１部分にはデータが出力されるようにし、アンテナ表示、メール受信、バッテリー残量はサブＬＣＤパネル４１３の上段に表示されるように制御し、時間、日付などのデータは、サブＬＣＤパネル４１３の中央部に表示され、メニュー目録は下部に表示されるように制御しうる。
【００４１】
ＯＳＤ制御器４０９は、ＲＧＢインターフェース(Ｉ／Ｆ)を通じて出力されるアプリケーションデータとサブメモリ４０５から出力されるＳＰＩデータをＬＣＤパネル上の同一領域に出力させる時、両データのオーバーラッピングタイプを異なる比率、すなわち０％、５０％、１００％などの多様なα-ベンディング値で変更させて多様なイメージを表すことができる。
【００４２】
例えば、オーバーラッピング値が０％に設定されれば、ＯＳＤ制御器４０９は、サブメモリ４０５から出力される静止画像がアプリケーションデータとディスプレイ位置が重なる場合にアプリケーションデータだけを出力する。
また、オーバーラッピング値が５０％に設定されれば、ＯＳＤ制御器４０９は、サブメモリ４０５から出力される静止画像がアプリケーションデータとディスプレイ位置が重なる場合にそれぞれ５０％のデータを混ぜて出力して二画像が透明に見られるようにディスプレイを制御する。
【００４３】
また、オーバーラッピング値が１００％に設定されれば、ＯＳＤ制御器４０９はサブメモリ４０５から出力される静止画像がアプリケーションデータとディスプレイ位置が重なる場合にＳＰＩデータだけ出力してアプリケーションデータ画像の一部に時間などの静止画像が出力されるように制御する。
【００４４】
図５は、ＲＧＢインターフェースを用いたアプリケーションデータのディスプレイ画面を示した図である。
図５を参照すれば、ＱＶＧＡ級(２４０×３２０)メインディスプレイパネルだけを使用するバータイプの移動通信用の端末機が写真、動映像、娯楽、ゲームなどの多様なアプリケーションを用いる時にアプリケーションデータがディスプレイパネルに表すことを示した。図５においては、説明の便宜上、カメラが内蔵されている端末機を用いてカメライメージを確認することを示している。
【００４５】
図６は、図５のバータイプの端末機においてＲＧＢインターフェースとサブメモリとを用いたディスプレイ画面を示した図である。
図６を参照すれば、左図はアプリケーションプロセッサからＲＧＢインターフェースを通じてアプリケーションデータをＱＶＧＡ級のメインＬＣＤパネルを駆動させ、アプリケーションプロセッサからＳＰＩ信号を用いてサブメモリ３０５に保存したデータ、すなわち、時間、日付、バッテリー残量、アンテナ表示などのデータをＯＳＤ機能で表現した図である。
【００４６】
右図は、サブメモリに保存されていたデータだけでメインＬＣＤパネルをディスプレイさせた例である。バータイプのフォンやスマートフォンなどのディスプレイパネルがメインＬＣＤパネル一つだけである端末機において待機モード時にディスプレイされる画面として使われる。
このような待機モードの場合、アプリケーションプロセッサの動作なしにもサブメモリに保存されたデータの判読動作だけを通じて静止画像がディスプレイできて低電力動作の効果がある。
【００４７】
図７は、デュアルウィンドウタイプの端末機においてメインＬＣＤパネルとサブＬＣＤパネルを同時に駆動させる画面を示した図である。
図７を参照すれば、Ｑｕａｒｔｅｒ  ｃｏｍｍｏｎ  ｉｎｔｅｒｍｅｄｉａｔｅ  ｆｏｒｍａｔ(ＱＣＩＦ)級のメインＬＣＤパネルと１０４×８０級サブＬＣＤパネルを同時に駆動する例であって、主にデュアルウィンドウフォンに使われる。メインＬＣＤパネルの場合、アプリケーションプロセッサからＲＧＢインターフェースを通じてデータが伝送され、サブＬＣＤパネルの場合、アプリケーションプロセッサからＳＰＩで端末機の状態表示を示すデータが伝送されてサブメモリに保存した後に保存されたデータを読んでディスプレイする。
【００４８】
左図は、端末機の使用中に端末機のフォルダを開いてメインＬＣＤパネルとサブＬＣＤパネルを何れも駆動させた時にメインＬＣＤパネルをユーザーが見ることを示す。
右図は、待機モードにおいてユーザーが端末機のフォルダを閉じてサブディスプレイだけ駆動させる場合である。このような待機モードは、端末機使用の大部分の時間を占める。この待機モードで本発明に係るディスプレイ装置は、プロセッサの動作を最大限抑制可能なので、消費電力を減らすようになる。また、サブＬＣＤパネルだけ駆動する場合にＬＣＤ制御器やＬＣＤドライバにタイミングコントローラを内蔵してより効率的に使用することもできる。
【００４９】
図８は、デュアルウィンドウタイプの端末機においてサブＬＣＤパネルだけを駆動させる画面を示した例である。
図８を参照すれば、デュアルウィンドウタイプの端末機においてフォルダを閉じた状態でサブＬＣＤパネルだけを使用して端末機を使用する場合を示す。すなわち、フォルダを閉じて端末機に内蔵されたカメラを使用して写真撮影時に使用できる場合である。
【００５０】
左図は、アプリケーションプロセッサからＲＧＢインターフェースを通じてデータを入力されて駆動される例であり、右図は、アプリケーションプロセッサからＲＧＢインターフェースを通じてアプリケーションデータを入力され、同時にＳＰＩを通じて入力されたＯＳＤデータをサブメモリに保存して同時に駆動させる例である。
すなわち、端末機のフォルダを開かない状態でデジタルカメラのファインダーのようにサブＬＣＤパネルを使用しながら、同時にバッテリー表示、ディスプレイサイズの表現、メモリ容量表示、フラッシュ動作状態などをＯＳＤ機能を通じて多様に表現できる。
【００５１】
図９は、サブメモリに保存されたデータをメインＬＣＤパネルとサブＬＣＤパネルに同時にディスプレイさせる画面を示した例である。
図９を参照すれば、フォルダを開いた状態でサブＬＣＤパネルにサブメモリに保存されたデータをディスプレイさせると同時にメインＬＣＤパネルにもバッテリー情報などの同じデータが表示できるように設定させた例を示した図面である。すなわち、ユーザーの画面設定方法によって多様な方法でアプリケーションデータと状態情報データとがディスプレイでき、右図に示す画面の場合、サブメモリのデータだけが利用できてアプリケーションプロセッサでの電力消費を防止することができる。
【００５２】
本発明は、図面に示された一実施形態に基づいて説明されたが、これは例示的なものに過ぎず、当業者ならばこれより多様な変形及び均等な他実施形態が可能である。したがって、本発明の真の技術的保護範囲は特許請求の範囲の技術的思想により決まるべきである。
【産業上の利用可能性】
【００５３】
本発明に係る半導体メモリ装置によれば、携帯電話及びＰＤＡなどの携帯用電子装備のディスプレイ装置に用いられる。
【図面の簡単な説明】
【００５４】
【図１】多様な機能を有する従来の移動通信端末機のブロック図である。
【図２Ａ】従来の移動通信端末機のＬＣＤ装置のブロック図である。
【図２Ｂ】従来の移動通信端末機のＬＣＤ装置のブロック図である。
【図２Ｃ】従来の移動通信端末機のＬＣＤ装置のブロック図である。
【図３】本発明の一実施形態による移動通信用端末機のＬＣＤ装置を示すブロック図である。
【図４】本発明の他の実施形態による移動通信用端末機のＬＣＤ装置を示すブロック図である。
【図５】ＲＧＢインターフェースを用いたアプリケーションデータのディスプレイ画面を示した図である。
【図６】図５のバータイプの端末機においてＲＧＢインターフェースとサブメモリとを用いたディスプレイ画面を示した図である。
【図７】デュアルウィンドウタイプの端末機においてメインＬＣＤパネルとサブＬＣＤパネルとを同時に駆動させる画面を示した図である。
【図８】デュアルウィンドウタイプの端末機においてサブＬＣＤパネルだけを駆動させる画面を示した図面である。
【図９】サブメモリに保存されたデータをメインＬＣＤパネルとサブＬＣＤパネルとに同時にディスプレイさせる画面を示した図である。
【符号の説明】
【００５５】
３０１…ＬＣＤ制御器
３０３…ＬＣＤドライバ
３０５…サブメモリ
３０７…メインＬＣＤパネル
３０９…サブＬＣＤパネル。
【図１】
0004722460.tif 000002
【図２Ａ】
0004722460.tif 000003
【図２Ｂ】
0004722460.tif 000004
【図２Ｃ】
0004722460.tif 000005
【図３】
0004722460.tif 000006
【図４】
0004722460.tif 000007
【図５】
0004722460.tif 000008
【図６】
0004722460.tif 000009
【図７】
0004722460.tif 000010
【図８】
0004722460.tif 000011
【図９】
0004722460.tif 000012